(57)【要約】 【課題】  比較的重量のある機器を梱包する梱包装置は、材料費のみならず、梱包材自体が嵩高く保管スペースや輸送費なども含め、製品価格に対する割合が高い。さらに、梱包材が大きくなることや部品点数が多いことによる作業能率の低下、管理の煩雑さなどが梱包費用に反映される。 【解決手段】  段ボール製トレー内部に緩衝材を設けた梱包材を該機器の天面側と底面側に装着し、バンドを架け渡して梱包する構造であって、該天面側梱包材は、４辺に緩衝壁を配した段ボール製トレーの内部にその全域に渡る大きさの段ボール箱を緩衝材として収納する。 【選択図】    図５
2008150118.tif 000002
【特許請求の範囲】
【請求項１】
直方体形状の機器を保護することを目的として装着する梱包材において、段ボール製トレー内部に緩衝材を設けた梱包材を該機器の天面側と底面側に装着し、バンドを架け渡して梱包する構造であって、該天面側梱包材は、４辺に緩衝壁を配した段ボール製トレーの内部にその全域に渡る大きさの段ボール箱を緩衝材として収納することを特徴とする梱包装置。 
【請求項２】
底面側梱包材は、段ボールの段と直角の端面を有する緩衝部及び該緩衝部を嵌め込んで支持する支持部を備えた基板と、該基板の周辺の３辺に立設した緩衝壁とによって構成した緩衝材を、段ボール製トレー内部の対向位置に配したものである請求項１記載の梱包装置。 
【請求項３】
上下の梱包材の間の機器の少なくとも前面側から両側面側の一部に架けて、段ボールを折曲して形成したカバーを設けたものである請求項１又は２記載の梱包装置。 
【発明の詳細な説明】
【技術分野】
【０００１】
本発明は、直方体形状の機器を梱包する梱包装置の改良に関するものである。直方体形状の機器とは、比較的重量のある電気製品やガス器具など立方体や立方体に近い直方体のプレーンな形状の製品をいうものであり、これを梱包する場合における省資源を図ることを目的とする。 
【背景技術】
【０００２】
例えば、電気機器などの製品を輸送・保管する場合においては、機器本体に傷が付いたり、落下した場合の損傷を防止するため、各種緩衝材を機器と共に段ボール箱に収納して梱包されている。一般的に、重量のある機器は、梱包及び開梱が容易に行えるように、緩衝材を備えた底部材に載置し、上から段ボール箱を被せると共に、上部に緩衝材を設けて梱包する形態が採られている。 
【発明の開示】
【発明が解決しようとする課題】
【０００３】
ところが、従来の梱包装置では、材料費が高く付くことや、嵩高く保管スペースや輸送費なども含めて、製品価格に対する梱包材の占める割合が高くなる問題があった。さらに、梱包材の部品点数が多いことによる作業能率の低下や管理の煩雑さなども梱包費用ひいては製品価格に反映されてしまう原因となっていた。 
【課題を解決するための手段】
【０００４】
そこで本発明者は上記問題に鑑み鋭意研究の結果、本発明を成し得たものでありその特徴とするところは、直方体形状の機器を保護することを目的として装着する梱包材において、段ボール製トレー内部に緩衝材を設けた梱包材を該機器の天面側と底面側に装着し、バンドを架け渡して梱包する構造であって、該天面側梱包材は、４辺に緩衝壁を配した段ボール製トレーの内部にその全域に渡る大きさの段ボール箱を緩衝材として収納することにある。 
【０００５】
ここで、本明細書中でいう「梱包材」とは、機器の天面側と底面側に被せることによって梱包する部材であり、段ボールをトレー状に組み立ててその内部に緩衝材を設けることによって、直方体状機器の６面を保護するものをいう。段ボール製トレーとは、段ボールを折り曲げて形成した１面が開口した箱体状のものである。 
【０００６】
「緩衝材」とは、機器に接当させることでその機器を保護するための緩衝機能を有するものをいう。本発明における天面側梱包材は、段ボール製トレーの内部に段ボール箱を収納することによって、これを緩衝材として機能させる構造としている。この場合、段ボール箱には機器の一面側にしか緩衝作用がないため、トレーの４辺に緩衝壁を配し、段ボール箱とトレーで直方体状機器の６面の保護を図る。この段ボール箱は、トレー内部の全域に渡る大きさにすることで、梱包機器の天面側の緩衝機能を付与させているが、必ずしも一つの段ボール箱で形成する必要はなく、複数の段ボール箱を並べて収納してもよい。また、段ボール箱の構造は特に限定するものではなく、箱体状に形成したものであればよい。 
【０００７】
底面側梱包材の緩衝材としては、例えば段ボールの段と直角の端面を有する緩衝部を備えた基板の３辺に緩衝壁を立設した構造とし、緩衝部が倒れて緩衝機能が損なわれないように、該緩衝部を嵌め込んで支持する支持部を設ける。緩衝部は、段ボールの段と直角の端面を機器に接当させる部分であり、例えば複数設けた折罫や半切り罫を交互に折り曲げることによって、基板に立設した状態に設ける。
【０００８】
本発明におけるトレーの緩衝壁や緩衝材の緩衝壁とは、機器の１面に対して段ボール材がほぼ垂直に接当するように、段ボールをコの字に折り曲げて形成した部分をいう。緩衝材の緩衝壁は、基板から延設した段ボールを折り曲げて形成するが、トレーの緩衝壁はトレー本体から延設した段ボールを折り曲げて形成する他、別体に形成した緩衝壁をトレー本体に設けるようにしてもよい。 
【０００９】
底面側梱包材としては、上述した緩衝材を用いてもよいが、特に緩衝材の構造や材質は限定するものではなく、段ボールで形成する他、発泡プラスチックやパルプモールドなどの成型品を利用してもよい。段ボール製緩衝材の場合は、トレーと一体に組み立てる構造としてもよい。また、発泡プラスチックなどと利用する場合、使用後の再利用やリサイクルを目的として、分別しやすいように接着剤を使わず凹部と凸部の組み合わせなどによる嵌込支持する構造が好ましく、トレー自体も接着剤等を使わずに組立支持できる構造にするのが好ましい。 
【発明の効果】
【００１０】
本発明に係る梱包装置は、天面側の梱包材に緩衝材として段ボール箱を用いたことにより、構造が簡単で梱包材としての組み立ても容易となり、材料費や梱包費用も大幅に低くすることができる。また、緩衝材としての段ボール箱に梱包機器の付属品などを収納することもでき、付属品等を別途梱包装置に組み込むことによる梱包装置の構造の複雑化や、梱包能率の低下を防ぐ他、荷姿も簡素化できるなど実用上極めて有益な効果を有するものである。 
【発明を実施するための最良の形態】
【００１１】
段ボール製トレー内部に緩衝材を設けた梱包材を機器の天面側と底面側に装着して梱包する構造であって、該天面側梱包材をとして４辺に緩衝壁を配した段ボール製トレーの内部にその全域に渡る大きさの段ボール箱を緩衝材として収納することで上記課題を解決した。
【実施例１】
【００１２】
図１は、本発明に係る梱包装置１の実施の形態の一例であり、ビルトインタイプの食器洗い乾燥機Ｔを梱包する状態を示す。この梱包装置１における梱包材２は、段ボール製トレー３内部の対向位置に緩衝材４を配した構造で、これを食器洗い乾燥機Ｔの天面側と底面側に共用して装着する。 
【００１３】
梱包材２を食器洗い乾燥機Ｔの天面側と底面側に装着した後は、図２に示すようにバンド５で結束して梱包が完了する。本例では、底面側梱包材２に食器洗い乾燥機Ｔを載置した後、段ボール製のカバー６を該食器洗い乾燥機Ｔの前面と両側面の一部を覆うように設けている。そして、該食器洗い乾燥機Ｔの上から袋状のプラスチックフィルム７を被せてから、天面側に梱包材２を装着して梱包する方法を採っている。 
【００１４】
緩衝材４は、図３のように食器洗い乾燥機Ｔの前面側［同図（ａ）］と背面側［同図（ｂ）］に合わせるため、異なった形状としている。しかし、いずれも基板４１に複数交互に設けた折罫と半切り罫を折り曲げて形成したもので、段ボールの段と直角の端面を有する緩衝部４２を２ヶ所設け、そして該基板４１の周辺の３辺に緩衝壁４３を立設した構造である。さらに、緩衝部４２が倒れて緩衝機能が損なわれないように、該緩衝部４２を嵌め込んで支持する支持部４４を基板４１に備えている。これらのブランクシートを図４（ａ）（ｂ）に示す。また、トレー３のブランクシートを同図（ｃ）に示す。このトレー３の４ヶ所の矩形状部分は、バンド５を架け渡す部分で、バンド５を緊締したときにトレー３の稜線部分が歪に変形しないように設けたものである。 
【００１５】
図５は、本発明に係る梱包装置１１の実施の形態の一例であり、ビルトインタイプの食器洗い乾燥機Ｔを梱包する状態を示す。この梱包装置１１における天面側梱包材２は、段ボール製トレー３の内部に緩衝材４として段ボール箱３１を収納した構造である。底面側の梱包材２は、図１に示した梱包材２と同じである。この梱包装置１１も図２のようにしてバンド５を架けて梱包する。緩衝材４としての段ボール箱３１は、食器洗い乾燥機Ｔの天面側に対する緩衝機能しかないため、トレー３側に緩衝機能の一部を委ねる必要がある。このため、天面側梱包材２のトレー３は、図６のように周面の４辺に緩衝壁３３を配した構造とし、食器洗い乾燥機Ｔの周面を保護するようにしている。 
【００１６】
このトレー３は、図７（ａ）のブランクシートで示すように前面側と背面側に緩衝壁形成片３４を延設したトレー本体３２に、同図（ｂ）に示す段ボールを角筒状に折り曲げて形成する緩衝パーツ３５を両側面側に設ける構造である。トレー３に設ける緩衝壁３３としては、トレー本体３２の４辺に緩衝壁形成片３４を延設して折り曲げて形成してもよく、図４（ｃ）に示すようなトレー３の各辺に別体の緩衝パーツ３５を取り付ける構造でもよい。ただ、いずれの場合でも本例のように、隣り合う辺の緩衝壁３３同士（本例では緩衝壁３３と緩衝パーツ３５）を係合する係合部３６を相互に設けたり、収納する段ボール箱３１との間に挟み込むための挟持片３７を緩衝壁形成片３４からさらに延設して、食器洗い乾燥機Ｔの面にほぼ垂直に接当するように緩衝壁３３がズレないようにするのが好ましい。 
【００１７】
本発明に係る梱包装置１１においては、天面側梱包材２として段ボール箱を緩衝材４としていることから、梱包する機器の構成部材、補助部品、取扱説明書などの付属品をこの段ボール箱に収納してもよく、梱包形態の効率化を図ることができる。 
【図面の簡単な説明】
【００１８】
【図１】本発明に係る梱包装置の実施の形態の一例を示す分解斜視図である。
【図２】梱包装置によって梱包した状態を示す斜視図である。
【図３】図１に示した緩衝材であり（ａ）は梱包機器の前面側、（ｂ）は梱包機器の背面側に配するものの斜視図である。
【図４】（ａ）は前面側緩衝材のブランクシート、（ｂ）は背面側緩衝材のブランクシート、（ｃ）はトレーのブランクシートである。
【図５】本発明に係る梱包装置の実施の形態の一例を示す分解斜視図である。
【図６】図５に示した天面側梱包材の底面図である。
【図７】図５に示した天面側梱包材を構成するもので、（ａ）はトレー本体のブランクシート、（ｂ）は緩衝パーツのブランクシートである。
【符号の説明】
【００１９】
Ｔ  食器洗い乾燥機 
１、１１  梱包装置 
２  梱包材 
３  段ボール製トレー 
３１  段ボール箱 
３２  トレー本体 
３３  緩衝壁 
３４  緩衝壁形成片 
３５  緩衝パーツ 
３６  係合部 
３７  挟持片 
４  緩衝材 
４１  基板 
４２  緩衝部 
４３  緩衝壁 
４４  支持部 
５  バンド 
６  カバー 
７  プラスチックフィルム 
【図１】
2008150118.tif 000003
【図２】
2008150118.tif 000004
【図３】
2008150118.tif 000005
【図４】
2008150118.tif 000006
【図５】
2008150118.tif 000007
【図６】
2008150118.tif 000008
【図７】
2008150118.tif 000009